(57)【要約】  パッケージ容器を形成する方法において、容器形状のパッケージ容器が、底部と、その底部から上方向に延びる側壁（７）とを有し、ボール紙素材（Ａ）で形成される。圧縮モールドの最後の段階で、型の内側の対向面を、それと向き合う面から後方に移動させることにより、リムに対応するモールドキャビティ（５）を形成するように型を閉じ、その後、そのモールドキャビティ（５）内にモールド材料を注入することにより、前記側壁（７）の上部に、横方向に延びるモールド材料のリム（８）がモールドされる。
2011506138.tif 000002
【特許請求の範囲】
【請求項１】
底部と該底部から上方向に延びる側壁（７）とを有し、ホール紙素材（Ａ）で形成され、容器の形状を有するパッケージ容器を形成する方法において、
型の内側の対向面を前記対向面と向き合う面から後方向に移動させることにより、リム（８）に対応するモールドキャビティ（５）を形成するようにして前記型を閉じ、
その後、モールド材料を前記モールドキャビティ（５）内に注入して、
圧縮モールドの最終工程で、前記側壁（７）の上部に横方向に延びる前記モールド材料の前記リム（８）を特徴とするパッケージ容器を形成する方法。
【請求項２】
前記型の成形の凹部（１ａ）を取り囲む保持面の環状部（４）を移動させることにより、前記モールドキャビティ（５）を形成することを特徴とする請求項１記載の方法。
【請求項３】
前記対向面を後方向に移動させる長さを０．４−２ｍｍとすることを特徴とする請求項１又は２記載の方法。
【請求項４】
前記パッケージ容器の側壁（７）の内側にも、前記モールド材料をモールドすることを特徴とする請求項１−３のいずれか１項に記載の方法。
【請求項５】
圧縮モールド行程において、前記モールドキャビティから前記側壁の内側に前記モールド材料を側壁（７）に導くように、前記側壁の上部を外方向に広げる曲げ部を形成することを特徴とする請求項４記載の方法。
【請求項６】
前記側壁（７）の上端部に直接に前記モールド材料で、横方向に広がるように前記リム（８）を成形することを特徴とする請求項１−５のいずれか１項に記載の方法。
【請求項７】
蓋（Ｌ）を前記リム（８）に取り付けることにより、容器（Ｔ）状の前記パッケージ容器を前記蓋（Ｌ）で閉じることを特徴とする請求項１−６のいずれか１項に記載の方法。
【請求項８】
底部と該底部から上方向に延びる側壁（７）とを備え、圧縮モールドによりボール紙で形成されたトレーのような容器（Ｔ）で構成されたパッケージ容器において、モールド材料で形成され、前記側壁（７）の上端部と角度を有して結合され、前記側壁から直接に横方向に延びているフランジが設けられていることを特徴とするパッケージ容器。
【発明の詳細な説明】
【技術分野】
【０００１】
本発明は容器の形状を有し、底壁とその底壁から上向きに伸びる側壁とを備えるパッケージ容器をボール紙素材で形成する方法に関する。
【背景技術】
【０００２】
このようなパッケージ容器は、食物を保持するための、いわゆるトレー容器として使用されており、蓋で密閉されている。パッケージ容器に蓋を取り付けるため、容器の端部が、側壁の上端部から延び、パッケージ容器の周囲を囲む水平のリム又はフランジを備える必要がある。このフランジの上面は、蓋がパッケージ容器に強固に取り付けることができるように、適したコーティングを備える。例えば、蓋の一部をパッケージ容器に取り付けるため、ヒートシール可能なプラスチック材料を使用することが非常に一般的である。食物パッケージとパッケージ材料の例が、文献ＷＯ０３／０３３２５８、ＥＰ１２８９８５６、ＷＯ００／２１８５４、ＵＳ５４２５９７２に記載されている。
【０００３】
上記のパッケージ容器は、型の中で形成されるように平板材料をプレスして形成される。パッケージ容器の内面を形成するボール紙のコーティングが、フランジの上面を形成し、蓋と接触する。
【０００４】
蓋を固定するのに適しているが、中間部材すなわちパッケージ容器の内側には必要でない、又は、パッケージ容器の内側の材料として不適切な材料のフランジを用いることが必要なときもある。不十分な機械的特性、例えば、フランジの不十分な剛性により問題が起こりうる。パッケージ容器の内側部の材料の選択は、フランジの材料まで同じでなくてもよい。トレー状の容器のリムがプラスチック材料で別々に形成される方法を提示している国際特許ＷＯ０３／０７８０１２と、対応する米国特許ＵＳ２００４／０２６２３２２に記載されているように、パッケージ容器の他の部分に係らないようフランジを形成することが知られている。この文献には、素材が成形されたプラスチック材料で端部同士を一体に接合したものであり、プラスチックのリムが側壁の上端部に成形され、そこから外側に延び、パッケージ容器を取り囲むフランジを形成する方法が開示されている。
【０００５】
この文献によると、圧縮モールドにより作られたパッケージ容器は、常に初めにフランジを形成し、そのフランジの下とか端部に、プラスチック材料をモールドで取り付け、文献の図５９−６３、６６に示されているように、外側に向かって延びるフランジとして形成される。さらに、トレー状容器を成形する方法の一つとしてインモールド、すなわち、フランジ部に同じ型内で圧縮モールドとプラスチック材料のモールドとを適用することを記載している。この文献の図７０−７６には、より詳細が示され、側壁の外面の全ての方向にフランジの下に、フランジの上面に水平に延びるように、材料をモールドするよう材料を送ること、図７７−８０に、これを実行する型が図示されている。パッケージ容器のフランジの上面、すなはち、蓋に対向する面は、モールド行程中、封止面に対し密着している。この型は、パッケージ容器の周囲にモールド材料を供給するいくつかの開口を備える。
【０００６】
形成・成形工具の寸法は、特にモールドキャビティを規定する表面の形状は、形成工具を設計するときに寸法は考慮されている必要があるパッケージ容器の端部でのプラスチック部の最終寸法を決定する。形成工程の最終へ向かって型の締切面の間の与えられた保持力でボール紙素材を保持できることが必要である。それにより、パッケージ容器は全周で均一に形成され、良い品質の製品が得られる。開示されている方法では、プラスチック部はフランジの下にモールドされる。
【発明の概要】
【発明が解決しようとする課題】
【０００７】
本発明の目的は、パッケージ容器のボール紙部の品質を損なうことなく、パッケージ容器の形成に関し、パッケージ容器の端部に様々なやり方で材料をモールドできる方法を提供することである。さらに、そのモールド方法により成形できる新たな構造を有するパッケージ容器を提供することを目的とする。
【課題を解決するための手段】
【０００８】
本発明による方法は、圧縮モールドの最終工程で、型の内側の対向面をそれと向き合う面から後方向に移動させることにより、リムに対応するモールドキャビティを形成するようにして型を閉じ、その後、モールド材料をモールドキャビティ内に注入して、側壁の上部に、横向きに延びるモールド材料のリムを形成することを特徴としている。この方法によると、キャビティ内で、固いフランジを成形するように材料が硬化され、そして、型が開かれ、完成されたトレー形状のパッケージ容器が型から取り出される。
【０００９】
上記の方法で、パッケージ容器の全周囲が、ボール紙と異なるモールド材料で形成された上面を有する成形リムを備え、その材料は、後でパッケージ容器を封止する蓋との結合にその機能を考慮して選択される。後ろ向きに移動される対向面は、成形段階のほぼ最終で素材の端部で十分な保持力を得るための保持面として作用する。原理的には、本発明により、厚み方向の寸法が一つだけに限定されずにリムをモールドすることができる。同様に、この方法は、パッケージ容器のボール紙の側壁の上端部で、直接に、モールド材料で十分に横向きに伸ばされたリムを成形するのに用いることができる。この方法で、以下に詳細に説明する新しい形状を有するパッケージ容器を形成することが可能となる。
【００１０】
リング形状に形成するパッケージ容器を囲む領域に、型の半分ずつの一方の保持面あるいは締切面を可動とすることができる。この可動は、数ミリメータ、好ましくは、０．４から２ｍｍのオーダーにあり、成形リムの厚みは同じオーダーである。しかし、本発明は、これらの寸法に限定されない。
【００１１】
本発明によるパッケージ容器は、圧縮モールドによりボール紙を成形したもので、モールド材料で成形され、ある角度でパッケージ容器の側壁の上端で連結され、横向きに直接に延びるフランジを備えることを特徴とする。モールド材料とボール紙容器との結合は、パッケージ容器の側壁の内側まで延びている。
【図面の簡単な説明】
【００１２】
【図１】平らな素材から開始される、パッケージ容器の異なる工程を示す図である。
【図２】平らな素材から開始される、パッケージ容器の異なる工程を示す図である。
【図３】平らな素材から開始される、パッケージ容器の異なる工程を示す図である。
【図４】平らな素材から開始される、パッケージ容器の異なる工程を示す図である。
【図５】モールド材料を射出する前の型の詳細を示す図である。
【図６】パッケージ容器の側壁とフランジ間の接触部を示す断面図である。
【図７】閉じられたパッケージ容器を示す図である。
【発明を実施するための形態】
【００１３】
図１は、パッケージ容器の形成から開始し、リムの成形で終了する、パッケージ容器を形成する形成・成形工具の断面図を示す。この工具は、第一の行程において、均等な厚さを有する平らなボール紙素材Ａをトレーとも呼ばれるコンテナの形状を有するパッケージ容器に、形成する代わりに、圧縮注入モールドするものである。この工具は、圧縮により形成されたパッケージ容器の端部に材料をモールドするモールド機能が統合されたものである。
【００１４】
この工具は、凹部１ａを備える第１の半型１又は「フロント型」を備え、その型に対して平らな素材Ａが形成され、パッケージ容器の全般の形状（底、底から延びる側壁の形状、側壁の傾斜、丸め等）を決定し、また、凹部１ａ内に素材を押圧する第２の半型又は「リア型」とを備える。このため、リア型は、凹部１ａに嵌合する成形コア２ａを備え、素材は、コアと凹部との間で圧縮されて、最終の形状を得る。二つの半型、すなわち、フロント型とリア型は、詳細は記載しないが、型を閉じたり、開いたりするために、互いに関し可動になるよう設けられている。図に示された型において、フロント型１は、固定部であり、リア型２は、可動部である。
【００１５】
リア型２は、コア２ａの周囲にリング状に、フロント型１の凹部１ａを囲む対向面１ｂと向き合う締切面２ｂを備える。型が閉じられたとき（半型１、２が一体にされたとき）これらの面は、互いに対向する。締切面２ｂは、深さ方向に超え２ａについて移動可能なイジェクト部のイジェクト面としても作用する。このように、イジェクト部は、フロント位置（図１に示す）とリア位置（図３、４に示す）との間を移動する。締切面２ｂの保持力は、加圧された媒体により駆動され、リア型２に固定されているアクチュエータ３により制御される。このアクチュエータ３は、好ましくは、エアシリンダである。
【００１６】
コア２ａは、締切面２ｂについて短い往復運動が可能なカラーリング４により囲まれており、その正面は、イジェクト面と面一に調整されるか又はそこから後ろ向きに非常に短い距離下げるよう移動可能である。カラーリング４の正面が、締切面と同一平面になるとき、それは締切面の一部となる。カラーリングの正面が、締切面の間のボール紙に保持力を作用させる。その結果、カラーリング４は、イジェクト部とコア２ａとの間で、イジェクト部の内側に置かれる。
【００１７】
図１は、型を閉じる前の状態を示す。形状に押圧される素材Ａは、フロント型１内の小さな保持器（図示しない）内にロボットにより持ち込まれる。その後、型は閉じられ、コア２ａが、凹部１ａ内に押圧され、その間に保持された素材がトレーの形状の容器に形成される。図２は、素材が凹部１ａ内に押圧された後、コア２ａがその素材を形成し始める工程を示している。この押圧行程において、カラーリング４の正面を含む締切面２ｂは、加圧空気によるアクチュエータ３の力によって、前に進み、締切面２ｂと対応するフロント型の締切面１ｂとの間の端部で素材Ａを保持する。図３は、型が完全に閉じられ、素材Ａが、その最外端部（トレーの側壁の上端）が、カラーリング４の正面と面一に、あるいは、ほぼ同一面に調整されるように、トレーを形成するよう押圧されている状態を示している。素材の端部に加わる保持力は、フロント型の凹部１ａを取り囲むフロント型の締切面に対向するカラーリング４の正面によりもたらされる。
【００１８】
図４は、型がまだ閉じられているが、カラーリング４はフロント型１の締切面１ｂから後方向、すなわち、リア型２に向かって短い距離を移動した状態を示す。この移動は、イジェクト用モータによりイジェクトロッド６を引っ張ることによって、正確な移動を行うアクチュエータにより実行される。小さなモールドキャビティ５は、フロント型１の凹部１ａを取り囲む表面と、イジェクト部の内側表面と、カラーリング４の正面と、コア２ａの外側表面との間に配置され、そのキャビティがトレーの外側端部に接合され、輪のようにトレーを取り囲む。溶けたプラスチック材料がこのモールドキャビティ内に注入されるとき、トレーの側壁から外に向かって延びるフランジ状のリムを形成する。この状態は、図４に詳細に示され、図４は、モールド材料を射出する行程でのカラーリング４の位置と同様に、コア２ａ、イジェクト面２ｂ、フロント型の締切面１ｂ、そして、トレーの形成される素材Ａの位置を示している。後位置において、カラーリング４が、コア２ａに対して固定され、この円錐状の形状のために、モールドキャビティ５の固定を確実にしている。モールド材料を射出するための流路は、フロント型１を介し導かれ、モールドキャビティ５でフロント型１の締切面１ｂに開口している一つの流路が破線で図示されている。このイジェクト流路は、例えば、形成したいトレーが矩形の一般的な形状を有するようなキャビティ１ａ周りで、角部に均等に配置される。
【００１９】
図５の詳細図は、コア２ａと凹部１ａの対応する設計のため、トレーの側壁が、その上部で、その下部に対し鋭い曲がりで、外側に曲げられていることを示している。コア２ａの外側表面と凹部１ａの内側表面とにより形成された挟持点で、素材が凹部１ａの内側表面に対し押圧され、モールド材料がキャビティ５から素材の外側端部、すなわち、既に形成されているトレーの上端部を横切り、トレーの内側に流れ、材料素材へのリム又はフランジの取付面がより大きくなる。さらに、素材の上端部が、フロント型１の締切面の下にすこし残される。断面で示す詳細図が、全体のパッケージ容器の周囲の状態を図示している。
【００２０】
溶けたプラスチック材料がキャビティ５の中で固体化した後、開いた位置に再度、型を開くことができる。イジェクト部は、リア位置にまだ留まっている。イジェクト部が、イジェクトバー６によりフロント位置に押圧されたとき、リア型２から完成した容器Ｔが取り出され、同時に、カラーリング４はフロント位置に再度移動することができる、すなわち、図１に示された位置に戻される。そして、ロボットが、完成された容器を取り出し、その位置に新たな素材Ａを搬送し、作業工程が、上記のように繰り返される。
【００２１】
フランジの厚さを変化させるために、一方の型に、寸法の異なるカラーリング４を適用し、カラーリングがリア位置で異なる寸法のモールドキャビティを形成するように構成することが可能である。
【００２２】
図６は、本発明により形成された、外側に水平に伸びるフランジを有する、圧縮モールドおよび注型により製造され、かつ、上端部から少し離れたトレーの内面に対してと同様に、容器Ｔの側壁の上端部に固定された、完成された容器Ｔの端部の断面図である。キャビティ５に供給されフランジ８を形成するモールド材料は、圧縮モールド行程で製造された鋭曲部９に向けて全方向に、トレーの内側を延びている。図６に示された容器の上端部の断面は、丸められた端部を有する矩形の水平方向の断面を有する容器において、フランジが、直線側に沿うよりも、角部で、側壁の上端部から、さらに延びることを考慮すると、周囲全体についても同様である。
【００２３】
図７は、完成された閉じられたパッケージ容器を示す。トレー状の完成された凶器Ｔは、蓋Ｌで閉じられ、この蓋は、プラスチックのリムの上面に、その蓋の下の面で封止され、よって、パッケージ容器は、全ての側で封止される。
【００２４】
製造の材料として、トレーパッケージ容器とプラスチックモールドのため一般に知られた材料を使用することができる。トレーのボール紙部に使われる素材Ａとして、コート（例えば、片面あるいは両面をプラスチックでコートされた）又はコート無しボール紙を使用することができる。ボール紙をコートする方法は、分散液塗布または押出被覆が考えられる。ボール紙は、様々な分量の繊維ベース製品を参照し、それは、パッケージ目的に適しており、押圧により成形することが可能である。容器Ｔの内側、外側表面を形成するボール紙のコートは、食べ物のために使用される視点で、食べ物からの成分が漏れること、又は、パッケージ容器の外側から食べ物の中に成分が入ることを防ぐ公知の梱包材料で構成される。フランジ８がボール紙のコートと異なる材料で構成することが可能であり、そのコートは、密閉材料、パッケージ容器の蓋と関連して再封止可能な材料を考慮しないで選択してもいいし、又は、パッケージ容器はコート無しでもかまわない。
【００２５】
適切なモールド材料は、溶融処理が可能な熱可塑性プラスチックを含む。すなわち、モールドキャビティ内に溶けた状態のものを供給することができ、固体化し、ボール紙に直接、又はボール紙のプラスチックコートに付着し、固いフランジを成形する。これらのプラスチックベースとして適当なポリマーは、ポリオレフィン、ポリエステル、ポリアミドがある。環境に好ましいモールド材料は、ポリ乳酸（ＰＬＡ）、生物分解性のポリエステル、でんぷんベースのプラスチック又はポリヒドロキシアルカン酸、特にＰＨＢ（ポリヒドロキシブチレート）のような生物分解性プラスチックがある。この方法により、パッケージ容器の再生利用性は、射出成形により一部が形成されても、全体として改善することができる。上記の生物分解性プレスチックは、ボール紙素材Ａをコートする材料としても使用することができる。
【００２６】
蓋Ｌは、任意の材料で作ることができる。この蓋は、下面が、たとえば、蓋を十分に封止し、再生利用が可能な材料であるフランジＬの材料と、互換性のある材料でコートされたボール紙で作られるのが好ましい。この蓋は、一層あるいは多層のプラスチックフィルムであり、フランジ８の上面に封止される。このようなフィルムが透明であると、パッケージ容器の内容が、パッケージ容器を開封しなくても、見ることができる。また、材料に関係なく、蓋Ｌは、フランジ８に機械的に取り付けることも可能である。
【００２７】
上記のパッケージ容器が、食べ物を密閉して包装するのに十分適しているとしても、食べ物以外の製品にも適しており、食べ物に要求される気密包装以外の要素を考慮して、フランジ８をモールドする材料を選択することも可能である。
【００２８】
容器Ｔの形状は、上記のものと異なってもよく、重要なことは、上端部が、ほぼ同じ面内にあるリムとモールドすることによって得られるような形状に近づけるようにして、圧縮モールドにより形成できることである。この容器の水平断面は、多角形である必要はなく、楕円形又は円形でもよい。
【図１】
2011506138.tif 000003
【図２】
2011506138.tif 000004
【図３】
2011506138.tif 000005
【図４】
2011506138.tif 000006
【図５】
2011506138.tif 000007
【図６】
2011506138.tif 000008
【図７】
2011506138.tif 000009
【手続補正書】
【提出日】平成22年5月17日(2010.5.17)
【手続補正１】
【補正対象書類名】特許請求の範囲
【補正対象項目名】全文
【補正方法】変更
【補正の内容】
【特許請求の範囲】
【請求項１】
底部と該底部から上方向に延びる側壁（７）とを有し、ホール紙素材（Ａ）で形成され、容器の形状を有するパッケージ容器を形成する方法において、
型の内側の対向面を前記対向面と向き合う面から後方向に移動させることにより、リム（８）に対応するモールドキャビティ（５）を形成するようにして前記型を閉じ、
その後、モールド材料を前記モールドキャビティ（５）内に注入して、
圧縮モールドの最終工程で、前記側壁（７）の上部に横方向に延びる前記モールド材料の前記リム（８）を形成することを特徴とするパッケージ容器を形成する方法。
【請求項２】
前記型の成形の凹部（１ａ）を取り囲む保持面の環状部（４）を移動させることにより、前記モールドキャビティ（５）を形成することを特徴とする請求項１記載の方法。
【請求項３】
前記対向面を後方向に移動させる長さを０．４−２ｍｍとすることを特徴とする請求項１又は２記載の方法。
【請求項４】
前記パッケージ容器の側壁（７）の内側にも、前記モールド材料をモールドすることを特徴とする請求項１−３のいずれか１項に記載の方法。
【請求項５】
圧縮モールド行程において、前記モールドキャビティから前記側壁の内側に前記モールド材料を側壁（７）に導くように、前記側壁の上部を外方向に広げる曲げ部を形成することを特徴とする請求項４記載の方法。
【請求項６】
前記側壁（７）の上端部に直接に前記モールド材料で、横方向に広がるように前記リム（８）を成形することを特徴とする請求項１−５のいずれか１項に記載の方法。
【請求項７】
蓋（Ｌ）を前記リム（８）に取り付けることにより、容器（Ｔ）状の前記パッケージ容器を前記蓋（Ｌ）で閉じることを特徴とする請求項１−６のいずれか１項に記載の方法。
【請求項８】
底部と該底部から上方向に延びる側壁（７）とを備え、圧縮モールドによりボール紙で形成されたトレーのような容器（Ｔ）で構成されたパッケージ容器において、
モールド材料で形成され、前記側壁（７）の上端部と角度を有して結合され、前記側壁から直接に横方向に延びているリム（８）が設けられ、
型の内側の対向面を前記対向面と向き合う面から後方向に移動させることにより、前記リムに対応するモールドキャビティ（５）を形成するようにして前記型を閉じ、その後、モールド材料を前記モールドキャビティ（５）内に注入して、圧縮モールドの最終工程で、横方向に延びる前記モールド材料の前記リム（８）が形成されていることを特徴とするパッケージ容器。
【手続補正２】
【補正対象書類名】明細書
【補正対象項目名】全文
【補正方法】変更
【補正の内容】
【発明の詳細な説明】
【技術分野】
【０００１】
本発明は容器の形状を有し、底壁とその底壁から上向きに伸びる側壁とを備えるパッケージ容器をボール紙用紙で形成する方法に関する。
【背景技術】
【０００２】
このようなパッケージ容器は、食物を保持するための、いわゆるトレー容器として使用されており、蓋で密閉されている。パッケージ容器に蓋を取り付けるため、容器の端部が、側壁の上端部から延び、パッケージ容器の周囲を囲む水平のリム又はフランジを備える必要がある。このフランジの上面は、蓋がパッケージ容器に強固に取り付けることができるように、適したコーティングを備える。例えば、蓋の一部をパッケージ容器に取り付けるため、ヒートシール可能なプラスチック材料を使用することが非常に一般的である。食物パッケージとパッケージ材料の例が、文献ＷＯ０３／０３３２５８、ＥＰ１２８９８５６、ＷＯ００／２１８５４、ＵＳ５４２５９７２に記載さている。
【０００３】
上記のパッケージ容器は、型の中で形成されるように平板材料をプレスして形成される。パッケージ容器の内面を形成するボール紙のコーティングが、フランジの上面を形成し、蓋と接触する。
【０００４】
蓋を固定するのに適しているが、中間部材すなわちパッケージ容器の内側には必要でない、又は、パッケージ容器の内側の材料として不適切な材料のフランジを用いることが必要なときもある。不十分な機械的特性、例えば、フランジの不十分な剛性により問題が起こりうる。パッケージ容器の内側部の材料の選択は、フランジの材料まで同じでなくてもよい。トレー状の容器のリムがプラスチック材料で別々に形成される方法を提示している国際特許ＷＯ０３／０７８０１２と、対応する米国特許ＵＳ２００４／０２６２３２２に記載されているように、パッケージ容器の他の部分に係らないようフランジを形成することが知られている。この文献には、素材が成形されたプラスチック材料で端部同士を一体に接合したものであり、プラスチックのリムが側壁の上端部に成形され、そこから外側に延び、パッケージ容器を取り囲むフランジを形成する方法が開示されている。
【０００５】
文献ＪＰ８２０７９２４及びＪＰ１００３４７０２は、トレー状のパッケージ容器のリムが別に射出成形されている一つの解を記載している。この文献において、トレーは、そのリムを射出成形する前に形成され、互いに連結されるような、分離された側壁と底部を備えている。
【０００６】
この文献ＪＰ２００４／０２６２３２２によると、圧縮成形により作られたパッケージ容器は、常に一番にフランジを形成し、そのフランジの下とか端部に、プラスチック材料をモールドで取り付け、文献の図５９−６３、６６に示されているように、外側に向かって延びるフランジとして形成される。さらに、トレー状容器を成形する方法の一つとしてインモールド、すなわち、フランジ部に同じ型内で圧縮成形とプラスチック材料のモールドとを適用することを記載している。この文献の図７０−７６には、より詳細が示され、側壁の外面の全ての方向にフランジの下に、フランジの上面に水平に延びるように、材料をモールドするよう材料を送ること、図７７−８０に、これを実行する型が図示されている。パッケージ容器のフランジの上面、すなはち、蓋に対向する面は、モールド行程中、封止面に対し密着している。この型は、パッケージ容器の周囲にモールド材料を供給するいくつかの開口を備える。
【０００７】
また文献ＪＰ６００５８８２３は、トレー容器（Ｄ形状側壁を有する）が形成されるような同じ型に射出成形されたリムを有する容器を形成する方法を記載している。この解において、トレーの側壁と底は、モールド材料の支えによりモールド中に互いに形作られ結合される側壁部と底部を備える一つの素材から形成される。さらに、米国特許申請の公開２００７／２６７３７４は、このタイプのパッケージ容器を形成する方法を開示している。この文献において、トレーは、プレス成形により形成される。プレス成形の後、そのプレス成形がなされた同じ型内のトレーの上端部に、容器のフランジが射出成形される。この文献は、フランジの異なる種類が示されたいくつかの実施例を記載している。これらの実施例において、フランジ又はリムは、トレーの上端部の全部を囲むように、内面あるいは外面に射出成形される。この文献は、本発明の最も直近の従来例である。
【０００８】
形成・成形工具の寸法は、特にモールドキャビティを規定する表面の形状は、形成工具を設計するときに寸法は考慮されている必要があるパッケージ容器の端部でのプラスチック部の最終寸法を決定する。形成工程の最終へ向かって型の締切面の間の与えられた保持力でボール紙素材を保持できることが必要である。それにより、パッケージ容器は全周で均一に形成され、良い品質の製品が得られる。開示されている方法では、プラスチック部はフランジの下にモールドされる。
【０００９】
特許文献ＵＳ４９６０３７６は、互いに可動な側部、端部そして角部により構成された容器を形成するためのモールド装置を開示している。キャビティにモールド材料を射出する前に、角部を向き合うから後方向に移動させることにより、取り扱い用のリング（すなわちフランジ）の型として機能する容器の本体を形成する、メインキャビティを取り囲む環状のキャビティが形成される。押し出しの後、このキャビティの形状が、装置の端部と角部を移動させることにより変化させられ、所望するフランジの形状が形成され、同時に、モールド材料を容器の本体の角部に対し押し当てて、互いに溶着される。このタイプのモールド装置がモールドキャビティの形状変更の可能性を改善したとしても、トレー状の容器の上端部の保持面の上述の課題について解を与えることができない。また、モールド装置の部分が、上記の他の文献に記載された方法のようにさらに複雑な方法の実行をするよう、前後に移動させる必要があるので、別の射出（押し出し）と圧縮行程が必要となり、問題となる。
【発明の概要】
【発明が解決しようとする課題】
【００１０】
本発明の目的は、パッケージ容器のボール紙部の品質を損なうことなく、パッケージ容器の形成に関し、パッケージ容器の端部に様々なやり方で材料をモールドできる方法を提供することである。さらに、本発明による新たなモールド方法により、形成されるパッケージ容器を提供することを目的とする。
【課題を解決するための手段】
【００１１】
本発明による方法は、圧縮モールドの最終工程で、型の内側の対向面をそれと向き合う面から後方向に移動させることにより、リムに対応するモールドキャビティを形成するようにして型を閉じ、その後、モールド材料をモールドキャビティ内に注入して、側壁の上部に、横向きに延びるモールド材料のリムを形成することを特徴としている。この方法によると、キャビティ内で、固いフランジを成形するように材料が硬化され、そして、型が開かれ、完成されたトレー形状のパッケージ容器が型から取り出される。
【００１２】
上記の方法で、パッケージ容器の全周囲が、ボール紙と異なるモールド材料で形成された上面を有する成形リムを備え、その材料は、後でパッケージ容器を封止する蓋との結合にその機能を考慮して選択される。後ろ向きに移動される対向面は、成形段階のほぼ最終で素材の端部で十分な保持力を得るための保持面として作用する。原理的には、本発明により、厚み方向の寸法が一つだけに限定されないリムをモールドすることができる。同様に、この方法は、パッケージ容器のボール紙の側壁の上端部で、直接に、モールド材料で十分に側向きに伸ばされたリムを成形するのに用いることができる。この方法で、以下に詳細に説明する新しい形状を有するパッケージ容器を形成することが可能となる。
【００１３】
リング形状に形成するパッケージ容器を囲む領域に、型の半分ずつの一方の保持面あるいは締切面を可動とすることができる。この可動は、数ミリメータ、好ましくは、０．４から２ｍｍのオーダーにあり、成形リムの厚みは同じオーダーである。しかし、本発明は、これらの寸法に限定されない。
【００１４】
本発明によるパッケージ容器は、圧縮モールドによりボール紙を成形したもので、モールド材料で成形され、ある角度でパッケージ容器の側壁の上端で連結され、横向きに直接に延びるフランジを備え、圧縮モールド行程の最後の段階で、型の内側の対向面をその対向面に向き合う面から後方向に移動させることにより、リムと対応するモールドキャビティを形成するように型を閉じ、その後、そのモールドキャビティ内にモールド材料を注入することにより、リムを成形することを特徴とする。モールド材料とボール紙容器との結合は、パッケージ容器の側壁の位置側まで延びている。
【図面の簡単な説明】
【００１５】
【図１】平らな素材から開始される、パッケージ容器の異なる工程を示す図である。
【図２】平らな素材から開始される、パッケージ容器の異なる工程を示す図である。
【図３】平らな素材から開始される、パッケージ容器の異なる工程を示す図である。
【図４】平らな素材から開始される、パッケージ容器の異なる工程を示す図である。
【図５】モールド材料を射出する前の型の詳細を示す図である。
【図６】パッケージ容器の側壁とフランジ間の接触部を示す断面図である。
【図７】閉じられたパッケージ容器を示す図である。
【発明を実施するための形態】
【００１６】
図１は、パッケージ容器の形成から開始し、リムの成形で終了する、パッケージ容器を形成する形成・成形工具の断面図を示す。この工具は、第一の行程において、均等な厚さを有する平らなボール紙素材Ａをトレーとも呼ばれるコンテナの形状を有するパッケージ容器に、成形する代わりに、圧縮注入モールドするものである。この工具は、圧縮により形成されたパッケージ容器の端部に材料をモールドするモールド機能が統合されたものである。
【００１７】
この工具は、凹部１ａを備える第１の半型１又は「フロント型」を備え、その型に対して平らな素材Ａが形成され、パッケージ容器の全般の形状（底、底から延びる側壁の形状、側壁の傾斜、丸め等）を決定し、また、凹部１ａ内に素材を押圧する第2の半型又は「リア型」とを備える。このため、リア型は、凹部１ａに嵌合する成形コア２ａを備え、素材は、コアと凹部との間で圧縮されて、最終の形状を得る。二つの半型、すなわち、フロント型とリア型は、詳細は記載しないが、型を閉じたり、開いたりするために、互いに関し可動になるよう設けられている。図に示された型において、フロント型１は、固定部であり、リア型２は、可動部である。
【００１８】
リア型２は、コア２ａの周囲にリング状に、フロント型１の凹部１ａを囲む対向面１ｂと向き合う締切面２ｂを備える。型が閉じられたとき（半型１、２が一体にされたとき）これらの面は、互いに対向する。締切面２ｂは、深さ方向に超え２ａについて移動可能なイジェクト部のイジェクト面としても作用する。このように、イジェクト部は、フロント位置（図１に示す）とリア位置（図３、４に示す）との間を移動する。締切面２ｂの保持力は、加圧された媒体により駆動され、リア型２に固定されているアクチュエータ３により制御される。このアクチュエータ３は、好ましくは、エアシリンダである。
【００１９】
コア２ａは、締切面２ｂについて短い往復運動が可能なカラーリング４により囲まれており、その正面は、イジェクト面と面一に調整されるか又はそこから後ろ向きに非常に短い距離下げるよう移動可能である。カラーリング４の正面が、締切面と同一平面になるとき、それは締切面の一部となる。カラーリングの正面が、締切面の間のボール紙に保持力を作用させる。その結果、カラーリング４は、イジェクト部とコア２ａとの間で、イジェクト部の内側に置かれる。
【００２０】
図１は、型を閉じる前の状態を示す。形状に押圧される素材Ａは、フロント型１内の小さな保持器（図示しない）内にロボットにより持ち込まれる。その後、型は閉じられ、コア２ａが、凹部１ａ内に押圧され、その間に保持された素材がトレーの形状の容器に形成される。図２は、素材が凹部１ａ内に押圧された後、コア２ａがその素材を形成し始める工程を示している。この押圧行程において、カラーリング４の正面を含む締切面２ｂは、加圧空気によるアクチュエータ３の力によって、前に進み、締切面２ｂと対応するフロント型の締切面１ｂとの間の端部で素材Ａを保持する。図３は、型が完全に閉じられ、素材Ａが、その最外端部（トレーの側壁の上端）が、カラーリング４の正面と面一に、あるいは、ほぼ同一面に調整されるように、トレーを形成するよう押圧されている状態を示している。素材の端部に加わる保持力は、フロント型の凹部１ａを取り囲むフロント型の締切面に対向するカラーリング４の正面によりもたらされる。
【００２１】
図４は、型がまだ閉じられているが、カラーリング４はフロント型１の締切面１ｂから後方向、すなわち、リア型２に向かって短い距離を移動した状態を示す。この移動は、イジェクト用モータによりイジェクトロッド６を引っ張ることによって、正確な移動を行うアクチュエータにより実行される。小さなモールドキャビティ５は、フロント型１の凹部１ａを取り囲む表面と、イジェクト部の内側表面と、カラーリング４の正面と、コア２ａの外側表面との間に配置され、そのキャビティがトレーの外側端部に接合され、輪のようにトレーを取り囲む。溶けたプラスチック材料がこのモールドキャビティ内に注入されるとき、トレーの側壁から外に向かって延びるフランジ状のリムを形成する。この状態は、図４に詳細に示され、図４は、モールド材料を射出する行程でのカラーリング４の位置と同様に、コア２ａ、イジェクト面２ｂ、フロント型の締切面１ｂ、そして、トレーの形成される素材Ａの位置を示している。後位置において、カラーリング４が、コア２ａに対して固定され、この円錐状の形状のために、モールドキャビティ５の固定を確実にしている。モールド材料を射出するための流路は、フロント型１を介し導かれ、モールドキャビティ５でフロント型１の締切面１ｂに開口している一つの流路が破線で図示されている。このイジェクト流路は、例えば、形成したいトレーが矩形の一般的な形状を有するようなキャビティ１ａ周りで、角部に均等に配置される。
【００２２】
図５の詳細図は、コア２ａと凹部１ａの対応する設計のため、トレーの側壁が、その上部で、その下部に対し鋭い曲がりで、外側に曲げられていることを示している。コア２ａの外側表面と凹部１ａの内側表面とにより形成された挟持点で、素材が凹部１ａの内側表面に対し押圧され、モールド材料がキャビティ５から素材の外側端部、すなわち、既に形成されているトレーの上端部を横切り、トレーの内側に流れ、材料素材へのリム又はフランジの取付面がより大きくなる。さらに、素材の上端部が、フロント型１の締切面の下にすこし残される。断面で示す詳細図が、全体のパッケージ容器の周囲の状態を図示している。
【００２３】
溶けたプラスチック材料がキャビティ５の中で固体化した後、型を、開いた位置に再度開くことができる。イジェクト部は、リア位置にまだ留まっている。イジェクト部が、イジェクトバー６によりフロント位置に押圧されたとき、リア型２から完成した容器Ｔが取り出され、同時に、カラーリング４はフロント位置に再度移動することができる、すなわち、図１に示された位置に戻される。そして、ロボットが、完成された容器を取り出し、その位置に新たな素材Ａを搬送し、作業工程が、上記のように繰り返される。
【００２４】
フランジの厚さを変化させるために、一方の型に、寸法の異なるカラーリング４を適用し、カラーリングがリア位置で異なる寸法のモールドキャビティを形成するように構成することが可能である。
【００２５】
図６は、本発明により形成された、外側に水平に伸びるフランジを有する、圧縮モールドおよび注型により製造され、かつ、上端部から少し離れたトレーの内面に対してと同様に、容器Ｔの側壁の上端部に固定された、完成された容器Ｔの端部の断面図である。キャビティ５に供給されフランジ８を形成するモールド材料は、圧縮モールド行程で製造された鋭曲部９に向けて全方向に、トレーの内側を延びている。図６に示された容器の上端部の断面は、丸められた端部を有する矩形の水平方向の断面を有する容器において、フランジが、直線側に沿うよりも、角部で、側壁の上端部から、さらに延びることを考慮すると、周囲全体についても同様である。
【００２６】
図７は、完成された閉じられたパッケージ容器を示す。トレー状の完成された凶器Ｔは、蓋Ｌで閉じられ、この蓋は、プラスチックのリムの上面に、その蓋の下の面で封止され、よって、パッケージ容器は、全ての側で封止される。
【００２７】
製造の材料として、トレーパッケージ容器とプラスチックモールドのため一般に知られた材料を使用することができる。トレーのボール紙部に使われる素材Ａとして、コート（例えば、片面あるいは両面をプラスチックでコートされた）又はコート無しボール紙を使用することができる。ボール紙をコートする方法は、分散液塗布または押出被覆が考えられる。ボール紙は、様々な分量の繊維ベース製品を参照し、それは、パッケージ目的に適しており、押圧により成形することが可能である。容器Ｔの内側、外側表面を形成するボール紙のコートは、食べ物のために使用される視点で、食べ物からの成分が漏れること、又は、パッケージ容器の外側から食べ物の中に成分が入ることを防ぐ公知の梱包材料で構成される。フランジ８がボール紙のコートと異なる材料で構成することが可能であり、そのコートは、密閉材料、パッケージ容器の蓋と関連して再封止可能な材料を考慮しないで選択してもいいし、又は、パッケージ容器はコート無でもかまわない。
【００２８】
適切なモールド材料は、溶融処理が可能な熱可塑性プラスチックを含む。すなわち、モールドキャビティ内に溶けた状態のものを供給することができ、固体化し、ボール紙に直接、又はボール紙のプラスチックコートに付着し、固いフランジを成形する。これらのプラスチックベースとして適当なポリマーは、ポリオレフィン、ポリエステル、ポリアミドがある。環境に好ましいモールド材料は、ポリ乳酸（ＰＬＡ）、生物分解性のポリエステル、でんぷんベースのプラスチック又はポリヒドロキシアルカン酸、特にＰＨＢ（ポリヒドロキシブチレート）のような生物分解性プラスチックがある。この方法により、パッケージ容器の再生利用性は、射出成形により一部が形成されても、全体として改善することができる。上記の生物分解性プレスチックは、ボール紙素材Ａをコートする材料としても使用することができる。
【００２９】
蓋Ｌは、任意の材料で作ることができる。この蓋は、下面が、たとえば、蓋を十分に封止し、再生利用が可能な材料であるフランジＬの材料と、互換性のある材料でコートされたボール紙で作られるのが好ましい。この蓋は、一層あるいは多層のプラスチックフィルムであり、フランジ８の上面に封止される。このようなフィルムが透明であると、パッケージ容器の内容が、パッケージ容器を開封しなくても、見ることができる。また、材料に関係なく、蓋Ｌは、フランジ８に機械的に取り付けることも可能である。
【００３０】
上記のパッケージ容器が、食べ物を密閉して包装するのに十分適しているとしても、食べ物以外の製品にも適しており、食べ物に要求される気密包装以外の要素を考慮して、フランジ８をモールドする材料を選択することも可能である。
【００３１】
容器Ｔの形状は、上記のものと異なってもよく、重要なことは、上端部が、ほぼ同じ面内にあるリムとモールドすることによって得られるような形状に近づけるようにして、圧縮モールドにより形成できることである。この容器の水平断面は、多角形である必要はなく、楕円形又は円形でもよい。
【国際調査報告】
2011506138.tif 000010
2011506138.tif 000011
2011506138.tif 000012
2011506138.tif 000013